(57)【要約】【課題】ホルダに取り付けられた物品を収納する収納シートに関し、シートを綴じたファイルやバインダの薄厚化と物品の収納及び取り出しの容易性とを両立する収納シートを提供する。【解決手段】収納シートには、シートに切込部が切り込まれ、シートの切込部両端に一対の孔部を貫設される。この収納シートには、リングを有するホルダに取り付けられた物品が、リングの一部が切込部に押し込まれてシート表面から裏面へ通り抜けた状態で、一対の孔部の一方又は双方にリングが挿通されて支持されることにより、収納される。【選択図】図２
2008006152.tif 000002
【特許請求の範囲】
【請求項１】
リングを有するホルダに取り付けられた物品を収納する収納シートであって、
シートに切り込まれた切込部と、
シートの前記切込部両端に貫設された一対の孔部と、
を備え、
前記リングの一部が前記切込部に押し込まれてシート表面から裏面へ通り抜けた状態で、前記一対の孔部の一方又は双方に挿通された当該リングを支持すること、
を特徴とする収納シート。
【請求項２】
鍵とリングとを連結してなるキーホルダを収納する収納シートであって、
シートに切り込まれた切込部と、
シートの前記切込部両端に貫設された一対の孔部と、
を備え、
前記リングの一部が前記切込部に押し込まれてシート表面から裏面へ通り抜けた状態で、前記一対の孔部の一方又は双方に挿通された当該リングを支持すること、
を特徴とする収納シート。
【請求項３】
鍵とプレートとをリングを介して連結してなるキーホルダを収納する請求項２記載の収納シートであって、
前記切込部を横断してシートに貫設された略矩形の開口部をさらに備え、
前記鍵又は前記プレートが前記開口部からシート裏面へ通り抜けて前記鍵と前記プレートとがシート表面側と裏面側に分けられた状態で、挿通された前記リングを支持すること、
を特徴とする収納シート。
【請求項４】
前記切込部は、シート上に並列して複数切り込まれ、
前記開口部は、前記各切込部を横断してシートに貫設されること、
を特徴とする請求項３記載の収納シート。
【発明の詳細な説明】
【技術分野】
【０００１】
本発明は、物品を収納する収納シートに関する。
【背景技術】
【０００２】
例えば、ビル管理や自動車販売センター、その他会社や事業体では、扉、机、ロッカー、自動車等のための多くの鍵を保有している。それら鍵は、整然と管理され、必要に応じて所望の鍵を迅速に取り出し得る必要がある。
【０００３】
近年では、鍵をフレキシブルに管理し、また自由に持ち運びできるようにするため、管理している鍵をファイルやバインダに収納する場合も見受けられる。
【０００４】
鍵は、キーホルダに取り付けられて保管されることが多い。このキーホルダが取り付けられた鍵は、キーホルダが有するリングを釘等の突起物に掛けることによって保管される。また、壁面に穿孔された孔にキーホルダが有するプレートを途中端まで斜め下方に向けて差し込んで保管される態様もある（例えば、「特許文献１」参照。）。
【０００５】
突起物を設けたものやプレートを途中端まで差し込む保管態様では、突起物や孔にキーホルダを引っかけているだけなので、鍵の取り出しが容易であるが、このような保管態様をファイルやバインダに収納する場合に適用しようとすると、突起物や孔から突出するプレートの分だけ厚みを必要とするため、ファイルやバインダが嵩張る。そのため、このような保管態様は、ファイルやバインダによる鍵の収納に適するとはいえない。
【０００６】
ファイルやバインダに鍵を保管する態様としては、ファイルやバインダに綴じられるシートに透明なポケットを形成し、当該ポケットに鍵を収納する態様が提示されている（例えば、「特許文献２」参照。）。
【０００７】
しかし、ポケットを形成したシートによる保管態様では、突起物を設けたものやプレートを途中端まで差し込む保管態様に比べてポケットに収納しにくく取り出しにくい、といった欠点を有する。
【０００８】
また、ポケットの容積に収まる鍵しか収納できず、たとえキーホルダに取り付けた鍵を収容できても、ポケットが膨らんでしまい厚みが増してファイルやバインダが嵩張ってしまう。またプレートに書き込まれた鍵の属性を視認しにくいとった欠点も有する。
【０００９】
【特許文献１】実開昭５５−４０７９６号公報
【特許文献２】実開昭５９−２２７５号公報
【発明の開示】
【発明が解決しようとする課題】
【００１０】
本発明は、以上の問題点に鑑みてなされたものであって、その目的は、ホルダに取り付けられた物品を収納する収納シートに関し、シートを綴じたファイルやバインダの薄厚化と物品の収納及び取り出しの容易性とを両立する収納シートを提供することにある。
【課題を解決するための手段】
【００１１】
上記課題を解決するための請求項１記載の発明は、リングを有するホルダに取り付けられた物品を収納する収納シートであって、シートに切り込まれた切込部と、シートの前記切込部両端に貫設された一対の孔部と、を備え、前記リングの一部が前記切込部に押し込まれてシート表面から裏面へ通り抜けた状態で、前記一対の孔部の一方又は双方に挿通された当該リングを支持すること、を特徴とする。
【００１２】
上記課題を解決するための請求項２記載の発明は、鍵とリングとを連結してなるキーホルダを収納する収納シートであって、シートに切り込まれた切込部と、シートの前記切込部両端に貫設された一対の孔部と、を備え、前記リングの一部が前記切込部に押し込まれてシート表面から裏面へ通り抜けた状態で、前記一対の孔部の一方又は双方に挿通された当該リングを支持すること、を特徴とする。
【００１３】
また、鍵とプレートとをリングを介して連結してなるキーホルダを収納するために、前記切込部を横断してシートに貫設された略矩形の開口部をさらに備え、前記鍵又は前記プレートが前記開口部からシート裏面へ通り抜けて前記鍵と前記プレートとがシート表面側と裏面側に分けられた状態で、前記リングが挿通されるようにしてもよい（請求項３記載の発明に相当）。
【００１４】
また、前記切込部は、シート上に並列して複数切り込まれ、前記開口部は、前記各切込部を横断してシートに貫設されるようにしてもよい（請求項４記載の発明に相当）。
【発明の効果】
【００１５】
本発明に係る収納シートでは、シートに切込部を切り込み、切込部の両端に一対の孔部を貫設した。ホルダが有するリングの一部を切込部に押し込んでシート表面から裏面へ通り抜けた状態で、一対の孔部の一方又は双方にリングを挿通することによって支持することができる。
【００１６】
これにより、収納シートをファイルやバインダに綴じても当該ファイルやバインダの薄厚化を図ることができ、かつホルダを突起物に引っかけて物品を収納する場合と同等の収納し易さ及び取り外し易さを両立する。さらに、リングを引っかけるのみで収納可能であるため、収納できる物品の大きさの自由度が増す。
【００１７】
また、切込部を横断してシートに略矩形の開口部を貫設することもできる。鍵又はプレートを開口部からシート裏面へ通り抜けさせることで、鍵とプレートとがシート表面側と裏面側に分けられた状態で、キーホルダが支持される。
【００１８】
これにより、プレートに書き込まれたキーホルダの属性は、鍵に邪魔されることなく、視認が可能となる。
【００１９】
また、開口部を、シート上に並列する各切込部を横断して形成されるようにすることもできる。これにより、開口部が長くなり、幅の広い鍵やプレートであっても開口部に通すことが容易となる。
【発明を実施するための最良の形態】
【００２０】
以下、本発明に係る収納シートの好適な実施形態を図面を参照しつつ詳細に説明する。本実施形態では、収納シートとして、キーホルダが取り付けられた鍵（以下、キーホルダと鍵とをまとめて「キーホルダ」という）を収納するキーホルダ収納シートについて説明する。
【００２１】
図１は、本実施形態に係るキーホルダ収納シートをバインダに綴じた状態を示す斜視図である。
【００２２】
本実施形態に係るキーホルダ収納シート１０は、例えば、バインダ２０に綴じられた状態で使用できる。バインダ２０に綴じた状態でキーホルダ収納シート１０にキーホルダ３０を収納することで、多数のキーホルダ３０が整理された状態で持ち運びできる。
【００２３】
バインダ２０は、２つ折りにされた表紙であり、折り目に沿って綴じ桿２１が取り付け固定されている。
【００２４】
綴じ桿２１は、例えば立ててこ式が採用され、折り目の中心に向かって円弧状に湾曲する棒状の突起を有する。突起は、折り目に沿って複数並び、また折り目を挟んで一対ずつ対向する。対となった突起の先端同士が当接することによって半円の輪が形成される。突起は、根元を起点にして折り目から遠ざかる方向に傾倒可能となっており、突起先端が当接及び離反することによって、半円の輪が閉じ又は開くようになっている。尚、綴じ桿２１は、立ててこ式の他、てこなし式、平てこ式等公知の形式いずれを採用してもかまわない。
【００２５】
キーホルダ収納シート１０は、Ａ４、Ｂ５等の規定の用紙サイズを有する四角形のシートである。ポリプロピレン等の樹脂で組成され、キーホルダ３０の自重程度では変形しない可撓性を有する。
【００２６】
キーホルダ収納シート１０の一辺側には、シートの属性等が書き込み可能なタグ１２が膨出して成形される。タグ１２が成形された辺との対向辺には、辺に沿って複数の綴じ穴１１が穿孔されている。
【００２７】
バインダ２０に取り付け固定された綴じ桿２１を開き、折り目から遠ざかる方向に傾倒させた突起に綴じ穴１１を挿通させた上で綴じ桿２１を閉じる。これにより、綴じ桿２１にキーホルダ収納シート１０が挿通支持され、バインダ２０にキーホルダ収納シート１０が綴じられる。
【００２８】
このキーホルダ収納シート１０は、キーホルダ３０を収納するシートである。キーホルダ収納シート１０には、複数のキーホルダ支持部１３が形成されている。このキーホルダ支持部１３は、シートを切り込み及び穿孔し又はこれに加えて切り欠きをする穿通加工により形成される。複数のキーホルダ支持部１３は、シートの行列方向に２次元に並んで形成される。キーホルダ支持部１３にキーホルダ３０が引っかけられ、当該キーホルダ３０がシート面で支持される。
【００２９】
キーホルダ３０は、鍵３１と鍵３１の属性等を書き込み可能なプレート３２とをリング３３を介して連結して構成される。
【００３０】
鍵３１とプレート３２には、リング３３を挿通可能な穴が設けられている。リング３３が鍵３１及びプレート３２に挿通することにより、鍵３１とリング３３とプレート３２が鎖状に連結している。即ち、リング３３が存在する平面と鍵３１及びプレート３２が存在する平面とは直交している。
【００３１】
キーホルダ支持部１３には、キーホルダ３０のうちリング３３が引っかけられる。また、キーホルダ支持部１３から鍵３１又はプレート３２の何れか一方をシート表面から裏面へ通して、リング３３を引っかけることにより、鍵３１とプレート３２は、シートの表面側と裏面側に分けられ、プレート３２に書き込まれた鍵３１の属性が視認されやすくなっている。
【００３２】
図２に、キーホルダ収納シート１０の拡大斜視図を示す。
【００３３】
図２に示すように、キーホルダ支持部１３は、穿通加工により、切込部１４と一対の孔部１５と開口部１６とを有する。
【００３４】
切込部１４は、シートを貫通して切り込まれて形成された切込みである。バインダ２０の折り目に沿う方向に、所定長で切り込まれて形成される。切込部１４の長さは、リング３３がシート面と２点で交わり可能な程度にまで押し込み可能な長さである。
【００３５】
孔部１５は、シートを貫通して穿孔された所定径の貫通孔である。切込部１４の両端にそれぞれ穿孔されて形成される。孔部１５の径の大きさは、リング３３が挿通可能な程度である。
【００３６】
開口部１６は、シートを貫通して切り欠かれて形成された略矩形の切欠きである。切込部１４を直交横断し、所定長の長さ及び厚さで形成される。開口部１６の長さは、鍵３１又はプレート３２の幅よりも長く形成される。開口部１６の厚さは、鍵３１又はプレート３２の厚みよりも厚く形成される。略矩形には、長方形、角が面取りされた長方形、切込部１４との交点に曲面が形成された長方形等が含まれる。
【００３７】
図３及び図４に、このキーホルダ収納シート１０へのキーホルダ３０の収納態様を示す。図３は、キーホルダ３０の収納途中過程を示す斜視図であり、図４は、キーホルダ３０の収納後の状態を示す斜視図である。
【００３８】
図３に示すように、キーホルダ３０は、リング３３がキーホルダ支持部１３に嵌め込まれてシート面に支持されることによりキーホルダ収納シート１０に収納される。
【００３９】
リング３３の向きを切込部１４の切り込み方向に合わせて、リング３３を切込部１４に押し込む。リング３３を切込部１４に押し込むと、切込部１４の切り込みが拡がり、リング３３の押進が可能となる。
【００４０】
リング３３をさらに押し込むと、リング３３の一部がシート表面から裏面へ通り抜ける。リング３３がシート面と２点で交わり、この２点が一対の孔部１５に達すると、一対の孔部１５にリング３３が挿通する。
【００４１】
一対の孔部１５にリング３３が挿通すると、切込部１４に対するリング３３の押圧力は消滅し、切り込みは塞がる。塞がった切込部１４は、シートの可撓性によりキーホルダ３０の自重では拡がらない。
【００４２】
このように、一対の孔部１５にリング３３が挿通され、リング３３の押圧力消失により切込部１４が塞がれることで、リング３３がキーホルダ支持部１３に嵌め込まれ、以てキーホルダ収納シート１０は、キーホルダ３０をシート面で支持する。
【００４３】
また、リング３３は、切込部１４の切り込みに沿って押し込まれるため、キーホルダ収納シート１０に対して直交する。キーホルダ３０は、鍵３１とリング３３とプレート３２とを鎖状に連結するため、鍵３１とプレート３２の拡がり平面は、シート平面と平行になる。従って、シート平面に鍵３１やプレート３２が直交して収納されることなく、バインダ２０の厚みを解消する。
【００４４】
図４に示すように、キーホルダ収納シート１０は、鍵３１とプレート３２とをシート表面側と裏面側に分けた状態でキーホルダ３０をシート面に支持する。
【００４５】
リング３３を切込部１４に押し込む前に、鍵３１又はプレート３２のいずれか一方を、開口部１６に通す。
【００４６】
鍵３１又はプレート３２がシート表面からシート裏面へ通り抜け、鍵３１とプレート３２とがシート表面側と裏面側に分けられた状態で、リング３３を切込部１４に押し込み、キーホルダ支持部１３に嵌め込んで、キーホルダ３０をシート面で支持する。
【００４７】
これにより、プレート３２に書き込まれたキーホルダ３０の属性は、鍵３１がプレート３２の存在する側とは異なる側に位置するため、鍵３１に邪魔されることなく、視認が可能となる。
【００４８】
キーホルダ３０の取り外しは、鍵３１若しくはプレート３２若しくはリング３３を把持してリング３３をシートから離す力を加える。切込部１４にリング３３の内周面から押圧力が加わって切り込みが拡がり、キーホルダ支持部１３の嵌め込みが解除される。リング３３をシートから離すことにより、伴って裏面に位置する鍵３１又はプレート３２が開口部１６を通過する。以て、キーホルダ３０は取り外される。
【００４９】
図５に、本実施形態に係るキーホルダ収納シート１０の変形例を示す。
【００５０】
図５に示すように、開口部１６は、キーホルダ収納シート１０の同一列上に並ぶ各切込部１４を横断して形成される。このように、同一列上の各切込部１４に共通の開口部１６を形成することで、開口部１６の長さが長くなり、幅の広い鍵３１やプレート３２であっても開口部１６に通すことが可能となる。
【００５１】
このように、本発明に係るキーホルダ収納シート１０では、シートに切込部１４を切り込み、切込部１４の両端に一対の孔部１５を貫設してキーホルダ支持部１３を形成した。即ち、キーホルダ支持部１３は、穿通加工により形成されるもので、突起物を有しない。
【００５２】
このキーホルダ支持部１３に対して、リング３３の一部を切込部１４に押し込んでシート表面から裏面へ通り抜けた状態で、一対の孔部１５の一方又は双方にリング３３が挿通支持される。
【００５３】
キーホルダ３０は、鍵３１とリング３３とプレート３２とを鎖状に連結するため、鍵３１とプレート３２の拡がり平面は、シート平面と平行になる。
【００５４】
従って、本発明に係るキーホルダ収納シート１０は、バインダ２０の薄厚化を実現することができ、かつキーホルダ３０を突起物に引っかけて収納する場合と同等の収納し易さ及び取り外し易さを両立する。さらに、キーホルダ３０を引っかけるのみで収納可能であるため、収納できるキーホルダの大きさの自由度が増す。
【００５５】
また、切込部１４を横断してシートに略矩形の開口部１６を貫設してもよい。この場合、鍵３１又はプレート３２を開口部１６からシート裏面へ通り抜けさせると、キーホルダ３０は、鍵３１とプレート３２とがシート表面側と裏面側に分けられた状態でシート面に支持される。
【００５６】
従って、鍵３１がプレート３２の存在する側とは異なる側に位置し、プレート３２に書き込まれた鍵３１の属性が、鍵３１に邪魔されることなく視認できる。
【００５７】
さらに、開口部１６を、キーホルダ収納シート１０の同一列上に並ぶ各切込部１４を横断して形成されるようにすることで、開口部１６が長くなり、幅の広い鍵３１やプレート３２であっても開口部１６に通すことが可能となる。
【００５８】
尚、本実施形態では、キーホルダ３０を鍵３１とプレート３２とリング３３とを連結してなるものとして説明したが、プレート３２が連結されていないキーホルダ３０であっても本発明の目的を達成することができる。
【００５９】
また、本実施形態では、収納シートにキーホルダ３０を収納する場合について説明した。その他にもリング３３を有するホルダに連結した物品であれば、当該シートに収納可能であり、キーホルダ３０を収納するための用途に限定されない。
【００６０】
また、本実施形態では、収納シートの使用形態としてバインダ２０に綴じられる場合を説明したが、必ずしもバインダ２０に綴じられる必要はなく、例えば壁等に掛けられて使用されてもよい。
【図面の簡単な説明】
【００６１】
【図１】本実施形態に係るキーホルダ収納シートをフォルダにバインドした状態を示す斜視図である。
【図２】本実施形態に係るキーホルダ収納シートの斜視図である。
【図３】本実施形態に係るキーホルダの収納過程を示す斜視図である。
【図４】本実施形態に係るキーホルダの収納後の状態を示す斜視図である。
【図５】本実施形態に係るキーホルダ収納シートの変形例を示す斜視図である。
【符号の説明】
【００６２】
１０  キーホルダ収納シート
１１  綴じ穴
１２  タグ
１３  キーホルダ支持部
１４  切込部
１５  孔部
１６  開口部
２０  バインダ
２１  綴じ桿
３０  キーホルダ
３１  鍵
３２  プレート
３３  リング
【図１】
2008006152.tif 000003
【図２】
2008006152.tif 000004
【図３】
2008006152.tif 000005
【図４】
2008006152.tif 000006
【図５】
2008006152.tif 000007
【手続補正書】
【提出日】平成19年6月11日(2007.6.11)
【手続補正１】
【補正対象書類名】特許請求の範囲
【補正対象項目名】全文
【補正方法】変更
【補正の内容】
【特許請求の範囲】
【請求項１】
リングを有するホルダに取り付けられた物品を収納する収納シートであって、
シートに切り込まれた切込部と、
シートの前記切込部両端に貫設された一対の孔部と、
前記切込部を横断してシートに貫設され、前記物品が通り抜け可能な大きさの略矩形の開口部と、
を備え、
前記リングの一部が前記切込部に押し込まれてシート表面から裏面へ通り抜けた状態で、前記一対の孔部の一方又は双方に挿通された当該リングを支持すること、
を特徴とする収納シート。
【請求項２】
前記物品が前記リングを介して連結された鍵とプレートであり、
前記鍵又は前記プレートが前記開口部からシート裏面へ通り抜けて前記鍵と前記プレートとがシート表面側と裏面側に分けられた状態で、前記切込部に挿通された前記リングを支持すること、
を特徴とする請求項１記載の収納シート。
【請求項３】
前記切込部は、シート上に並列して複数切り込まれ、
前記開口部は、前記各切込部を横断してシートに貫設されること、
を特徴とする請求項１記載の収納シート。
【手続補正２】
【補正対象書類名】明細書
【補正対象項目名】００１１
【補正方法】変更
【補正の内容】
【００１１】
上記課題を解決するための請求項１記載の発明は、リングを有するホルダに取り付けられた物品を収納する収納シートであって、シートに切り込まれた切込部と、シートの前記切込部両端に貫設された一対の孔部と、前記切込部を横断してシートに貫設され、前記物品が通り抜け可能な大きさの略矩形の開口部と、を備え、前記リングの一部が前記切込部に押し込まれてシート表面から裏面へ通り抜けた状態で、前記一対の孔部の一方又は双方に挿通された当該リングを支持すること、を特徴とする。
【手続補正３】
【補正対象書類名】明細書
【補正対象項目名】００１２
【補正方法】変更
【補正の内容】
【００１２】
上記課題を解決するための請求項２記載の発明は、前記物品が前記リングを介して連結された鍵とプレートであり、前記鍵又は前記プレートが前記開口部からシート裏面へ通り抜けて前記鍵と前記プレートとがシート表面側と裏面側に分けられた状態で、前記切込部に挿通された前記リングを支持すること、を特徴とする。
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】変更
【補正の内容】
【００１４】
また、前記切込部は、シート上に並列して複数切り込まれ、前記開口部は、前記各切込部を横断してシートに貫設されるようにしてもよい。
【手続補正６】
【補正対象書類名】明細書
【補正対象項目名】００１７
【補正方法】変更
【補正の内容】
【００１７】
また、切込部を横断してシートに略矩形の開口部を貫設しているので、鍵又はプレートを開口部からシート裏面へ通り抜けさせることで、鍵とプレートとがシート表面側と裏面側に分けられた状態で、キーホルダが支持される。
【手続補正７】
【補正対象書類名】明細書
【補正対象項目名】００１９
【補正方法】変更
【補正の内容】
【００１９】
また、開口部を、シート上に並列する各切込部を横断して形成されるようにすることにより、開口部が長くなり、幅の広い鍵やプレートであっても開口部に通すことが容易となる。